(57)【特許請求の範囲】
【請求項１】
少なくとも１つの入口孔（２２）および１つの出口孔（２３）が設けられた構造を形成する、カバー（２１）によって閉鎖された中空体（２０）を備え、前記中空体（２０）と前記カバー（２１）との間には、前記構造を少なくとも２つのつまり第一および第二音響チャンバ（Ａ、Ａ’）に分割する少なくとも１つの中間体（２４）が設けられており、前記少なくとも１つの中間体は、前記第一および第二音響チャンバ（Ａ、Ａ’）と流体連通している少なくとも１つの接続チャネル（２６）が設けられたプラットフォーム（２５）によって形成されており、前記少なくとも１つの接続チャネルは、前記出口孔（２３）と相互接続している出口チャネル（２７）をさらに包囲している、音響減衰器装置付き圧縮機であって、
前記少なくとも１つの入口孔（２２）は、第一の音響チャンバ（Ａ）に設けられており、
入口孔（２２）を通じて前記装置減衰器（１０）の構造に侵入するガスは第一音響チャンバ（Ａ）まで誘導され、これは、前記接続チャネル（２６）を通じて、つまり、接続チャネル（２６）と出口チャネル（２７）の外面との間に形成された空間を通じて、第二音響チャンバ（Ａ’）に連続的に誘導されるガスで完全に満たされ、
前記第二音響チャンバ（Ａ’）は、その後ガスで満たされ、ガスは、出口チャネル（２７）を通じて出口孔（２３）まで誘導される、
ことを特徴とする、音響減衰器装置（１０）付き圧縮機。
【請求項２】
前記接続チャネル（２６）および前記出口チャネル（２７）が、前記音響チャンバ（Ａ、Ａ’）の間にガスを通すための空間を形成することを特徴とする、請求項１に記載の音響減衰器装置付き圧縮機。
【請求項３】
前記中間体（２４）が、中空体（２０）の縁およびカバー（２１）に直接固定されていることを特徴とする、請求項１に記載の音響減衰器装置付き圧縮機。
【請求項４】
低熱伝導性材料で作られていることを特徴とする、請求項１に記載の音響減衰器装置付き圧縮機。
【請求項５】
前記中間体（２４）の前記接続チャネル（２６）が、その断面が「８」の字型の構成を備えることを特徴とする、請求項１に記載の音響減衰器装置付き圧縮機。
【請求項６】
前記中間体（２４）の前記接続チャネル（２６）が、その断面が円形、正方形、長方形、三角形、楕円形、または星形である構成を備えることを特徴とする、請求項１に記載の音響減衰器装置付き圧縮機。
【請求項７】
前記出口チャネル（２７）が、前記接続チャネル（２６）の形状とは異なる形状を備えることを特徴とする、請求項１に記載の音響減衰器装置付き圧縮機。
【請求項８】
前記中間体（２４）を押圧および係止する、前記カバー（２１）の縁との前記中空体（２０）の固定が、溶接、糊、接着剤、または機械式ロックによって実行されることを特徴とする、請求項１に記載の音響減衰器装置付き圧縮機。
【請求項９】
前記接続チャネル（２６）および前記出口チャネル（２７）が、同心的に設けられていることを特徴とする、請求項１に記載の音響減衰器装置付き圧縮機。
【請求項１０】
前記接続チャネル（２６）の中心が前記出口チャネル（２７）の中心からずれて設けられていることを特徴とする、請求項１に記載の音響減衰器装置付き圧縮機。
【請求項１１】
前記中空体（２０）と前記カバー（２１）との間に設けられた少なくとも１つの中間アダプタ（２８）を備えることを特徴とする、請求項１に記載の音響減衰器装置付き圧縮機。
【請求項１２】
前記中空体（２０）から中間アダプタ（２８）への縁の間、およびこのアダプタ（２８）の縁から前記カバー（２１）の縁への間にそれぞれ設けられて固定された、２つの中間体（２４）を備えることを特徴とする、請求項１１に記載の音響減衰器装置付き圧縮機。
【請求項１３】
前記中間アダプタ（２８）が、中間体（２４）を組み込むことによって作られることを特徴とする、請求項１１に記載の音響減衰器装置付き圧縮機。
【請求項１４】
その構成要素は垂直または水平の構造になっており、前記プラットフォーム（２５）が、水平または垂直に設けられていることを特徴とする、請求項１に記載の音響減衰器装置付き圧縮機。
【請求項１５】
前記カバー（２１）および前記出口チャネル（２７）が、１つの単一部品として製造されることを特徴とする、請求項１に記載の音響減衰器装置付き圧縮機。
【請求項１６】
前記カバー（２１）および前記出口チャネル（２７）が、個別に製造されることを特徴とする、請求項１に記載の音響減衰器装置付き圧縮機。
【発明の詳細な説明】
【技術分野】
【０００１】
本発明は、一般的に冷却システムで通常使用される音響減衰器装置付き圧縮機に関する。より具体的には、本発明は、これらの部品の製造プロセスを簡素化し、また一般的に前記密閉型圧縮機の音響減衰レベルを増加させることが可能な、技術的、構造的、および機能的特徴を備える、音響減衰器に関する。
【背景技術】
【０００２】
先端技術によれば、当業者にとって一般的に周知のように、冷却システムに適用されるほとんどの密閉型圧縮機には、圧縮機筐体の中に、より具体的には吸気ラインおよび／または排気ライン内に設けられた装置が提供され、その目的は、冷媒ガスの搬送に加えて、吸気弁および圧縮チャンバのストロークおよび振動によって発生する雑音を減少させることである。これは、冷媒ガスを断熱することも目的とする。
【０００３】
「マフラ」としても知られるこれらの音響減衰器装置は、圧縮ユニットに対するその設置位置を定義するときに、異なる名称を有してもよい。たとえば、吸気フィルタおよび吸気マフラという術語は、ストレーナから吸気弁まで冷媒ガスを誘導するように減衰器装置が吸気ライン内に設けられているとき、非常に一般的である。前記減衰器装置が圧縮ユニットに設けられているときは、膨張チャンバまたは膨張マフラタイプの名称が使用される。
【０００４】
設置位置とは関係なく、先端技術より周知の前記減衰器装置は、主にこれらは小型の構造を備え、ガスの方向、音響マフリング、および場合によりこれらのガスの断熱を保証するために高レベルの精度および仕上げを要するので、比較的複雑な構成を呈し、製造および実装するのが困難である。
【０００５】
より具体的には、先端技術より周知の前記減衰器装置は、圧縮ユニットに出入りするガスを誘導するためにチャンバおよびダクトがその中に設けられた、中空体を備えることが観察される。当業者によって理解されるように、このガスの変位は圧縮チャンバの脈動によって発生し、これは結果的に雑音を発生するが、これはその中をガスが通るこれらのチャンバおよびダクトの特徴にしたがって減衰されることが可能である。
【０００６】
これら既知の装置の不都合は、ガスを誘導するためのこれらチャンバおよび内部ダクトを組み立てるための構造的様態にある。より具体的には、本先端技術は、減衰器装置の中のガス循環のための経路の伸長を得るために互いに係合しているいくつかの部品および壁によって形成されたチャンバおよびダクトを備えることに、注意する。しかしながら、相互関連部品の数を考慮すると、ガス漏れを引き起こす相互作用が多数あり、つまり当業者にとって周知のように、その間に接続される部品の数が多いほど漏れのリスクが高くなり、これによって音響減衰レベル、主に圧縮機の動作条件に直接影響を及ぼすことが、特筆される。
【０００７】
さらに、先端技術による減衰装置のこのようなチャンバおよびダクトの特徴により、雑音を低減するための適切な容量および経路を得るために製造業者らは場合により比較的複雑で高額なプロセスにさせる構成を使用するので、これらの特徴の幾何学的構成に関する特定の制限があることが検証される。
【０００８】
先端技術の知識による、密閉型圧縮機用の減衰装置の実施形態のいくつかの例は、米国特許出願公開第２００５／００３１４６１号明細書、米国特許第５２０１６４０号明細書、米国特許第５９７１７２０号明細書、および米国特許第６５０６０２８号明細書に開示されている。気付かれるように、これらの文献は基本的に２つの甚大な不都合を呈する。１つ目は、チャンバと形成されたダクトとの間の封止レベルにあり、これは主に、これらの場合は封止が材料の干渉によってのみ得られるからであり、ここでこの封止は、多くの用途に有用であるものの、非常に正確で良好に制御された幾何形状を必要とし、このため適切な封止を保証する最低レベルの品質を得るために生じる工具および製造の複雑さ、ならびに組み立て費用によって生産ラインを犠牲にする。
【０００９】
米国特許出願公開第２００４／１７９９５５号明細書および米国特許第６１４９４０２号明細書は、一種の共振チャンバが適用された圧縮機用の吸気マフラを提供し、共振チャンバには動作中の冷媒の一部のみが流入する可能性がある。このようなチャンバの目的は雑音を弱めることであるが、しかしこれらは圧縮機効率に影響を及ぼす可能性がある。
【００１０】
最後に、国際公開第０２１０１２３９号パンフレット、国際公開第２０１３０８６５９２号パンフレット、および米国特許出願公開第２００９２５７８９２号明細書は、その独自性を有する吸気マフラを提示しているが、しかし現在の先行技術の問題を解決することはできない。
【００１１】
内部ダクトの構成に関して当該技術分野において周知の減衰器装置が呈する別の不都合は、ガス誘導経路を増加させるために、より多くの中間部品を必要とし、こうして単純な材料の干渉による封止の量を増加させ、その結果としてより複雑な設計およびさらに高額な製造および実装費用を生じることになる。
【００１２】
先端技術による減衰器装置に見られる別の不都合は、その構成、特にその長さが吸気弁の作動周波数に直接関連する吸気ダクトの場合に、内部ダクトの長さを変更することを許容しないという事実に起因する。このため、先端技術の減衰器装置に関して、２つ以上の部品を使用することによって作成可能な内部ダクトの長さを変更する方法は１つしかなく、結果的により複雑で高額な設計が必要とされることになる。
【００１３】
上記を鑑みて、先端技術による密閉型圧縮機用の減衰器装置は、主にその構成が比較的複雑で実装するのが困難であるため、雑音の減衰レベルに対して直接的な影響を及ぼすいくつかの制限および不都合を呈することが、わかるだろう。
【先行技術文献】
【特許文献】
【００１４】
【特許文献１】米国特許出願公開第２００５／００３１４６１号明細書
【特許文献２】米国特許第５２０１６４０号明細書
【特許文献３】米国特許第５９７１７２０号明細書
【特許文献４】米国特許第６５０６０２８号明細書
【特許文献５】米国特許出願公開第２００４／１７９９５５号明細書
【特許文献６】米国特許第６１４９４０２号明細書
【特許文献７】国際公開第２００２／１０１２３９号
【特許文献８】国際公開第２０１３／０８６５９２号
【特許文献９】米国特許出願公開第２００９２５７８９２号明細書
【発明の概要】
【発明が解決しようとする課題】
【００１５】
まず、本発明の減衰器装置は圧縮機の吸気ラインまたは排気ラインのいずれにも適用可能であることが、指摘されるべきである。このため、この理由のために、以下の説明は単に減衰器装置について言及し、したがってこのような名称は簡単な形態で解釈されることが明らかとなり、これにより、本明細書において密閉型圧縮機の中のいずれの位置も考慮される。
【００１６】
このため、本発明の目的は、冷却システム内で一般的に使用される密閉型圧縮機に適用される減衰器装置を提供することであり、これは具体的には前記装置の製造方法を簡素化するための、しかし主に雑音を減衰する能力を向上するための、技術的、構造的、および機能的特徴を備える。
【００１７】
より好ましくは、本発明の目的は、冷媒ガスの十分な循環に適した条件を提供するために、減衰器装置体の中に収容されたチャンバとダクトとの間のガス漏れの最終的なリスクを低減、および解消さえすることが可能な、密閉型圧縮機用の減衰器装置を提供することである。
【００１８】
加えて、本発明の目的は、チャンバ間のガスの誘導を損なうことなく、その構造的特徴が、音響チャンバ間の封止に対して簡単だが非常に有効な構造を得られるようにする、密閉型圧縮機に適用される減衰器装置を提供することである。
【００１９】
要するに、より客観的な形態において、本発明の目的は、その技術的および構造的特徴が、実質的に少ない数の部品を含み、主に適切で安全な封止手段を含むアセンブリを通じて冷媒ガスを誘導するための音響チャンバおよびダクトの形成を可能にする、密閉型圧縮機用の減衰器装置を提供することである。
【課題を解決するための手段】
【００２０】
このように、上記で引用された目的および技術的特徴を達成するために、本発明は、音響減衰器装置付き圧縮機に関し、前記装置は、少なくとも１つの入口孔１つの出口孔を有する構造を形成するように、カバーで閉鎖された中空体を備える。より具体的には、少なくとも２つの音響チャンバに前記構造を分割することが可能な少なくとも１つの中間体が、前記中空体と前記カバーとの間に設けられ、前記中間体は、前記音響チャンバ間で流体連通し、好ましくは前記カバー上に設けられた、出口孔に接続された出口チャネルを包囲する、少なくとも１つの接続チャネルが設けられたプラットフォームによって、形成されている。
【００２１】
本発明の好適な実施形態によれば、前記接続チャネルおよび前記出口チャネルは、前記音響チャンバ間にガスを通すのに十分な空間を形成する。より具体的には、前記接続および出口チャネルは同心的に設けられているが、しかしこれらは中心からずれた形態で交互に配置され、つまり前記チャネルは幾何学的中心と一致していてもいなくてもよい。
【００２２】
さらに、本発明の別の代替実施形態によれば、中間体は、「８」の字型断面、つまり２つの部分的に重複した円周の構成を有する接続チャネルを備える。あるいは、前記接続チャネル断面はまた、たとえば正方形、長方形、三角形、楕円形、星形など、その他の形状であってもよい。加えて、本発明において、出口チャネルには、接続チャネルの形状と同等の形状および異なる形状の断面が提供され、ガスの通過に十分な空間を形成するために、接続チャネルと出口チャネルの外面との間の空間が提供されなければならないことは、明らかである。
【００２３】
さらに、本発明の特定の実施形態によれば、前記中間体は、前記中空体および前記カバーの縁に直接固定されている。
【００２４】
本発明の音響減衰器装置の好適な実施形態によれば、前記体、カバー、および中間体は低熱伝導性材料で作られている。加えて、前記中間体を押圧および係止する、前記カバーの縁への前記中空体の縁の固定は、溶接、糊、接着剤、または機械式ロックを用いて行われることが可能である。
【００２５】
さらに、本発明の代替実施形態によれば、音響減衰器装置は、追加音響チャンバを形成するために、中空体とカバーとの間に設けられた中間アダプタを備える。有利な実施形態によれば、本発明による圧縮機用音響減衰器装置は、前記中空体から中間アダプタへの縁の間、およびこのアダプタの縁から前記カバーの縁への間にそれぞれ設けられて固定された、２つの中間体を備える。
【００２６】
加えて、生産および組み立てライン向けの有利な実施形態によれば、前記中間アダプタは中間体を組み込むことによって作られ、こうしてプロセスの間の固定ステップを省略し、結果的に、漏れリスクに関する最終的な脆弱性が予防される。
【００２７】
当業者によって理解されるように、本発明の音響減衰器装置は、垂直または水平形態のその構造的要素を有することができ、つまり中間体のプラットフォームは水平にまたは垂直に設けられるべきである。
【００２８】
さらに、本発明の選択的な実施形態によれば、前記カバーおよび出口チャネルは、１つの一体型部品または独立した形態で作成され、これらはその後、減衰器装置の組み立てラインの間に接続されることが可能である。
【００２９】
先に強調されたように、本発明の特徴、利点、および技術的効果は、以下の好適な実施形態の単に例示的に詳述された非限定的説明によって、および以下の添付図面を参照して、当業者によってより良く理解されるだろう。
【図面の簡単な説明】
【００３０】
【図１】本発明による減衰器装置を含む密閉型圧縮機の部分切り取り図である。
【図２】本発明の減衰器装置の斜視分解組立図である。
【図３】本発明の減衰器装置の前面図である。
【図４】図３に示される減衰器装置の断面図である。
【図５Ａ】本発明の減衰器装置の代替実施形態の概略図である。
【図５Ｂ】本発明の減衰器装置の代替実施形態の概略図である。
【図５Ｃ】本発明の減衰器装置の代替実施形態の概略図である。
【図５Ｄ】本発明の減衰器装置の代替実施形態の概略図である。
【図６】本発明の減衰器装置の中間体の代替実施形態の斜視図である。
【図７】図６に示される中間体の上面図である。
【発明を実施するための形態】
【００３１】
上記の概略図面を参照して、本発明の好適で可能な実施形態のいくつかの例が、以下に説明される。しかしながら、冷却システム圧縮機向けの本減衰器装置は一般的に、そうは言っても本発明の保護範囲から逸脱することなく、異なる詳細ならびに技術的構造的および寸法的態様を備えることができるので、これは単に例示的であって非限定的な説明に過ぎないと指摘することは、重要である。
【００３２】
図１は、密閉筐体（Ｃ）で形成された圧縮機の部分切り取り図を示し、その中に圧縮ユニット（Ｕ）が収容されており、これには従来、適切な冷却システム動作を可能にするための吸気弁および排気弁が備えられている。さらに、当業者にとって広く知られるように、前記密閉筐体はまた、少なくとも１つの冷却システム吸気ラインに接続された少なくとも１つのストレーナ（Ｐ）と、さらに同じ吸気システムの排気ラインとの接続のための出口（Ｓ）とを、備える。
【００３３】
本発明の減衰器装置（１０）は、具体的にはまだ密閉筐体（Ｃ）の中で、吸気または排気ラインの両方に接続され、より好ましくは圧縮ユニット（Ｕ）に接続されている。上記で述べられたように、前記減衰器装置１０は、製造業者の興味および設計に応じて異なるが、吸気ラインまたは排気ラインに適用されることが可能である。
【００３４】
単に一例として、図１は、前記減衰器装置１０が圧縮ユニット（Ｕ）の吸気弁の近くに設置されている構成を示す。しかしながら、以下に記載されるような技術的および構造的特徴が維持されていれば、減衰器装置１０は前記圧縮ユニット（Ｕ）の排気弁近くに容易に適用可能であることは、繰り返し述べられるべきである。
【００３５】
この意味において、本発明の減衰器装置１０はカバー２１によって閉鎖された中空体２０を備え、少なくとも１つの入口孔２２および１つの出口孔２３が設けられた少なくとも１つの構造を形成し、中間体２４は、前記構造を少なくとも２つの音響チャンバ（Ａ、Ａ’）に分割するために前記中空体２０と前記カバー２１との間に設けられ、これは、前記音響チャンバ（Ａ、Ａ’）と流体連通して、前記カバー２１上に設けられた前記出口孔２３と相互接続している出口チャネル２７を包囲する、少なくとも１つの接続チャネル２６を含むプラットフォーム２５によって形成されていることが、観察される。
【００３６】
図１から図４に概略的に示されるものなど、本発明の可能な実施形態の１つによれば、入口孔２２を通じて前記減衰器ガス１０の構造に侵入するガスは第一音響チャンバ（Ａ）まで誘導され、これは、前記接続チャネル２６を通じて、特に接続チャネル２６と出口チャネル２７の外面との間に形成された空間を通じて第二音響チャンバ（Ａ’）に連続的に誘導されるガスで完全に満たされている。前記第二音響チャンバ（Ａ’）はその後ガスで満たされ、圧縮ユニットの脈動に応じて、ガスは出口チャネル２７を通じて出口孔２３まで誘導されることになる。
【００３７】
本発明によれば、それを通じてガス流が誘導されるチャネルのみならず音響チャンバの形成は、単純な干渉による封止手段を呈するものではなく、また減衰器装置を構造的に形成するための要素の数の著しい減少もあることに、気付く人がいるかも知れない。より具体的には、中間体２４は中空体２０の縁およびカバー２１に直接固定されており、装置が全体として組み立てられた後に容易にアクセス可能な領域を一旦参照すれば外部固定のより有効な手段を使用することも可能になるので、本発明の減衰器装置の内部のまたは外部へのガス漏れのリスクは著しく低減されることが観察される。これは、その仕切りおよびチャネルが中空体の中で配置および相互接続されて装置が有効に実装される前に互いの間で固定される必要がある、先端技術とは異なっている。
【００３８】
本発明の好適な実施形態によれば、減衰器装置１０の構成要素は、ガス特性に対するおよび、結果的には一般的に冷却システムの効率に対する影響を減少させるために、低熱伝導性材料で作られている。加えて、中間体を押圧および係止することによる前記カバー１の縁への中空体２０の縁の固定は、たとえば溶接、糊、接着剤、機械式ロックなど、いずれか周知の手段によって実行されることが可能である。
【００３９】
また、接続チャネル２６と出口チャネル２７との間の位置決めの関係は、好ましくは同心形態、すなわち同じ幾何学的中心と揃えられてもよいことは、明らかである。あるいは、ガスの通過に十分な接続チャネル２６と出口チャネル２７の外面との間の空間が維持されていれば、前記チャネル間の前記関係は中心からずれていてもよく、つまり幾何学的中心からずれていてもよい。
【００４０】
より具体的には、図６および図７より、中間体２４の代替実施形態は、第一音響チャンバ（Ａ）のガス流を第二音響チャンバ（Ａ’）に向かって誘導するのに役立ち、この場合、前記接続チャネル２６は「８」の字型断面、つまり２つの部分的に重複した円周を有する構成を備えることが、観察される。この意味において、前記図面は接続チャネル断面が円形または「８」の字型である実施形態を示すという事実にもかかわらず、代わりに接続チャネル２６の前記断面はまた、たとえば正方形、長方形、三角形、楕円形、星形など、その他の形状であってもよい。
【００４１】
加えて、図示されないものの、上記で述べられたように、接続チャネル２６と出口チャネル２７の外面との間に空間が存在するならば、出口チャネル２７はまた前記接続チャネル２６の形状と同等の形状および異なる形状であってもよいことは、明らかである。
【００４２】
図５Ａから図５Ｄは、本発明の減衰器装置の２つの代替実施形態を示す。より具体的には、図５Ａおよび図５Ｂは、図１から図４に示されるモデルと非常によく似た、入口孔２２および出口孔２３を含む実施形態を示す。図５Ｃおよび図５Ｄに関して、これらは、減衰器装置１０の構造に２つの入口孔２２および１つの出口孔２３が設けられている実施形態を示し、このような種類の実施形態は、たとえば密閉ラインおよび均等化ラインなど、２つの吸気ラインが備えられた冷却システムにとって非常に有用である。
【００４３】
より具体的には、図５Ａおよび図５Ｃに示される実施形態に関して、本発明の減衰器装置は３つの音響チャンバＡ、Ａ’、およびＡ’’を備え、音響チャンバＡ’’は中空体２０とカバー２１との間に中間アダプタ２８を設けることによって形成されることが、検証される。本発明のこれらの代替実施形態によれば、前記体２０の縁と中間アダプタ２８との間、およびこのアダプタ２８の縁とカバー１２の縁との間に正当に位置決めされて固定された、２つの中間体２４がそれぞれ開示されている。
【００４４】
加えて、当業者によって理解されるように、前記中間アダプタ２８は中間体２９のうちの１つを導入することによって作成可能であり、これは部品間の固定の領域のうちの１つを省略することになるので、漏れリスクの低減に加えて、２つの減衰器装置１０の生産および組み立てラインを容易にする。
【００４５】
このようにして、図５Ａおよび図５Ｃに見られるように、ガスは入口オリフィス２２を通じて第一チャンバ（Ａ）に侵入し、前記ガスは第一接続チャネル２６によって誘導され、こうして中間音響チャンバ（Ａ’’）を満たす。連続して、ガスは第二接続チャネル２６を通じて第二音響チャンバ（Ａ’）に向かって誘導され、引き続き、これらのガスは出口孔２３に向かって出口チャネル２７を出る。
【００４６】
添付図面に示されるように、減衰器装置１０の構造は、図１から図４に示されるように垂直形態であってもよく、また図５Ａから図５Ｄに示されるように水平形態であってもよいことは、強調されるべきである。言い換えると、中間体２４のプラットフォーム２５によって形成された仕切りは装置構造の中に、水平にまたは垂直に収容されることが可能である。
【００４７】
これらの実施形態を鑑みて、本発明の減衰器装置は複数の音響チャンバを有するように設計されることが可能であることは明らかであり、こうするために、各中間体によって形成された複数の接続チャネル２６によって包囲された出口チャネル２７の配置が維持されるという前提で、追加中間体を用いる中間アダプタ２８の組み合わせおよび配置のみが必要とされる。
【００４８】
さらに、本発明の可能な実施形態によれば、前記出口チャネル２７は前記カバー２１とともに作られることが可能であり、つまり前記カバー２１および前記出口チャネル２７は単一部品として作られる。あるいは、前記構成要素は独立して製造され、続いて本発明の減衰器装置を実装する方法の間に接続される。
【図１】
0006576923.tif 000002
【図２】
0006576923.tif 000003
【図３】
0006576923.tif 000004
【図４】
0006576923.tif 000005
【図５Ａ】
0006576923.tif 000006
【図５Ｂ】
0006576923.tif 000007
【図５Ｃ】
0006576923.tif 000008
【図５Ｄ】
0006576923.tif 000009
【図６】
0006576923.tif 000010
【図７】
0006576923.tif 000011